(57)【要約】【課題】計測値をインジケータで表示画面に表示する作業車両であって、注意喚起が必要な値が計測された場合には、オペレータや作業者の気付いて貰いやすい状態で注意喚起を行うことが可能な作業車両を提供することを課題とする。【解決手段】計測手段によって計測された計測値を表示画面３２にインジケータ３９ａ，４１ａ，４３ａ，４４ａ，４８ａで表示する制御手段を備え、該制御手段は、予め定めた所定範囲内の値が上記計測手段によって計測された場合、少なくともインジケータ３９ａ，４１ａ，４３ａ，４４ａ，４８ａと、該インジケータ３９ａ，４１ａ，４３ａ，４４ａ，４８ａに関する情報を表示する情報表示部３９ｂ，４１ｂ，４３ｂ，４４ｂ，４８ｂとを変色又は点滅させて表示画面３２に出力する。【選択図】図３
2017100465.tif 000002
【特許請求の範囲】
【請求項１】
計測手段と、表示画面と、前記計測手段によって計測された計測値を表示画面にインジケータで表示する制御手段とを備えた作業車両であって、前記制御手段は、予め定めた所定範囲内の値が前記計測手段によって計測された場合、少なくともインジケータと、該インジケータに関する情報を表示する情報表示部とを変色又は点滅させて表示画面に出力する作業車両。
【請求項２】
前記制御手段は、上記インジケータ及び情報表示部を変色又は点滅させて表示画面に出力する際、注意喚起の表示画面への出力も併せて行う請求項１に記載の作業車両。
【請求項３】
前記制御手段は、上記インジケータ及び情報表示部を、変色又は点滅させ表示画面に出力する際、該インジケータの拡大も併せて行う請求項１に記載の作業車両。
【発明の詳細な説明】
【技術分野】
【０００１】
この発明は、計測値をインジケータで表示画面に表示する作業車両に関する。
【背景技術】
【０００２】
燃料残量等の計測値をインジケータで表示画面に表示する作業車両が従来公知であるが、この種の作業車両では、燃料の残量が少なくなった等、注意喚起が必要な値が計測手段によって計測される場合、その事実を、オペレータ等に気付かせる必要性が高く、このような工夫が施された種々の作業車両が開発され、公知になっている。
【０００３】
例えば、その一例として、燃料の残量が少なくなった場合に、表示画面８１に表示された燃料インジケータ８２の燃料残量を示す目盛り８２ａ部分を点滅させて、注意喚起を行う作業車両が公知になっている（図６参照）。
【０００４】
また、その他の一例としては、コンバインのグレンタンク内に収容された籾等の収容量をインジケータで表示するにあたり、満杯を示す目盛の色を、他の目盛の色と比べて目立つ色とし、満杯に近づいたことを気付かせる作業車両も公知になっている（例えば、特許文献１を参照。）。
【先行技術文献】
【特許文献】
【０００５】
【特許文献１】特開２０１４−４２４７０号公報
【発明の概要】
【発明が解決しようとする課題】
【０００６】
上記文献の作業車両又は図６に示す作業車両では、インジケータの目盛の点滅や色によって、注意喚起を行うものであるが、目盛はインジケータの一部であり、気付かれ難いという難点がある。特に、作業車両は、公道を走行する一般車両とは異なり、走行に関する情報以外に、作業に関する情報も表示画面に表示する場合が多いことから、表示させる情報量が多くなり、上記難点は、さらに顕在化する。
【０００７】
計測値をインジケータで表示画面に表示する作業車両であって、注意喚起が必要な値が計測された場合には、オペレータや作業者の気付いて貰いやすい状態で注意喚起を行うことが可能な作業車両を提供することを課題とする。
【課題を解決するための手段】
【０００８】
上記課題を解決するため、計測手段と、表示画面と、前記計測手段によって計測された計測値を表示画面にインジケータで表示する制御手段とを備えた作業車両であって、前記制御手段は、予め定めた所定範囲内の値が前記計測手段によって計測された場合、少なくともインジケータと、該インジケータに関する情報を表示する情報表示部とを変色又は点滅させて表示画面に出力することを特徴としている。
【０００９】
前記制御手段は、上記インジケータ及び情報表示部を変色又は点滅させて表示画面に出力する際、注意喚起の表示画面への出力も併せて行うものとしてもよい。
【００１０】
前記制御手段は、上記インジケータ及び情報表示部を、変色又は点滅させ表示画面に出力する際、該インジケータの拡大も併せて行うものとしてもよい。
【発明の効果】
【００１１】
少なくともインジケータと、該インジケータに関する情報を表示する情報表示部とを変色又は点滅させて表示画面に出力するため、オペレータや作業者の気付いて貰いやすい状態で注意喚起を行うことが可能になる。
【００１２】
前記制御手段は、上記インジケータ及び情報表示部を変色又は点滅させて表示画面に出力する際、注意喚起の表示画面への出力も併せて行うものによれば、その注意喚起をさらに気付いて貰い易くなる。
【００１３】
前記制御手段は、上記インジケータ及び情報表示部を、変色又は点滅させ表示画面に出力する際、該インジケータの拡大も併せて行うものによれば、その注意喚起をさらに気付いて貰い易くなる。
【図面の簡単な説明】
【００１４】
【図１】本発明を適用した汎用コンバインの全体側面図である。
【図２】操縦部の構成を示す平面図である。
【図３】（Ａ），（Ｂ）はそれぞれ本発明を適用した液晶モニタの表示内容を示す平面図である。
【図４】（Ａ），（Ｂ）はそれぞれ別実施形態に係る液晶モニタの表示内容を示す平面図である。
【図５】（Ａ），（Ｂ）はそれぞれ別実施形態に係る液晶モニタの表示内容を示す平面図である。
【図６】（Ａ），（Ｂ）はそれぞれ従来の液晶モニタの表示内容を示す平面図である。
【発明を実施するための形態】
【００１５】
図１は、本発明を適用した汎用コンバインの全体側面図である。作業車両の一種である汎用コンバインは、左右一対のクローラ式走行装置１Ｌ，１Ｒに支持された走行機体２と、該走行機体２の前方の昇降自在に支持された刈取部３とを備えている。
【００１６】
刈取部３は、走行機体２から前方に上下揺動可能に突設されたフィーダ４と、該フィーダ４からさらに前方に突出する刈取フレーム６とを一体的に有している。刈取フレーム６の左右の側壁間には、左右方向の掻込オーガ７が回転自在に支持されるとともに、該掻込オーガ７の前方斜め上方には、左右方向のリール８が配置されている。
【００１７】
リール８は、自身の軸回りに回転自在に支持され、且つ、昇降機構９によって刈取フレーム６側に昇降可能に支持されている。また、刈取フレーム６の左右の側壁には、それぞれ分草体１１が前方に突出した状態で、突出形成されている。
【００１８】
走行機体２の車台（機体フレーム）２ａ上には、脱穀部（脱穀装置）１２と、グレンタンク１３と、操縦部１４とが設置されている。脱穀部１２は、走行機体２における前進時進行方向の左側半部に設けられ、グレンタンク１３は、脱穀部１２の右側方に配置され、操縦部１４は、グレンタンク１３の前方且つ脱穀装置の右斜め前方に配置されている。
【００１９】
脱穀部１２は、その内部上側に形成された脱穀室に回転自在に支持された前後方向の扱銅１６と、扱銅１６の直下に配置され前後揺動される揺動選別体１７と、揺動選別体１７の下方に形成された選別室に前から順次配置された唐箕ファン１８、一番ラセン１９及び二番ラセン２１とを備えている。
【００２０】
該構成の汎用コンバインは、リール８を下降させた刈取部３を、圃場側に下降させた状態で、前進走行しながら、圃場の稲や麦や豆類等の作物の刈取作業を行う。具体的には、圃場の作物（穀稈）を、回転駆動されるリール８によって後方に送りながら、該リール８の下側に配置されたレシプロ式の左右方向の刈刃（図示しない）によって刈取り、この刈取られた穀稈を、回転駆動される掻込オーガ７によって、フィーダ４内に掻込み、該フィーダ４によって、脱穀装置１２側まで後方搬送する。
【００２１】
フィーダ４から脱穀部１２の脱穀室内に全稈投入された穀稈は、回転駆動される扱銅１６によって、後方搬送されながら脱穀処理される。この脱穀処理によって、穀稈から脱粒された処理物は、揺動選別体１７側に落下し、揺動選別体１７によって揺動選別された後に、選別室内に落下供給される。
【００２２】
ちなみに、前記揺動選別体１７には、前後に並列された左右方向の複数フィン間の間隔（開度）を該フィンの前後揺動によって変更するチャフシーブ２０が設けられ、選別量に応じて、この開度を適宜変更する。また、このチャフシーブ２０上の処理物の積層量（選別負荷）を、図示しない層厚センサ（選別負荷検出手段，計測手段，計測器）によって検出している。
【００２３】
揺動選別体１７から選別室内に落下した処理物は、唐箕ファン１８によって起風される後方斜め上方の選別風によって、一番物と、二番物と、排出物とに選別される。一番物は、選別室の手前側に落下し、籾等の穀粒（収穫物）として、一番ラセン１９を介して、グレンタンク１３まで搬送されて収容される。二番物は、一番ラセン１９後方の二番ラセン２１側に落下し、該二番ラセン１９によって、再び選別室又は脱穀室に戻される。排出物は、機体の後方から排出される。
【００２４】
グレンタンク１３内に収容された穀粒は、排出オーガ２２によって、機外に排出される。この排出オーガ２２は、グレンタンク１３の後端側から上方と突出形成された縦筒２３と、該縦筒２３の上端側から一直線状に延びる排出筒２４とを有している。排出筒２４は、縦筒２３から延出された先端部に下方に開口した排出部２４ａが形成され、縦筒２３の軸回りに旋回可能であって且つ基端側を支点に上下揺動可能に支持されている。この排出筒２４（排出オーガ２２）の左右旋回及び上下揺動によって、排出部２４ａの位置が決定され、これによって、穀粒の排出位置も定まる。
【００２５】
図２は、操縦部の構成を示す平面図である。操縦部１４は、オペレータが着座する座席２６と、該座席２６の前方側に配置形成されたフロント操作部２７と、該座席２６の側方に配置形成されたサイド操作部２８と、平面視で座席２６とフロント操作部２７との間に形成された床面２９とを有している。
【００２６】
フロント操作部２７は、平面視で、座席２６の前方位置から側方位置に至る範囲にＬ字状に成形されている。該Ｌ字状のフロント操作部２７における左右方向に延びる部分が、座席２６の真正面側に位置するフロント部２７ａになるとともに、前後方向に延びる部分が、座席２６の斜め前方に位置するサイド部２７ｂになる。
【００２７】
フロント部２７ａには、前後及び左右に揺動操作可能に支持されたマルチレバー３１と、タッチパネル式の液晶モニタ（表示画面）３２とが左右に並べて配設されている。マルチレバー３１は、左右揺動によって走行時の操向操作を行うとともに、前後揺動によって刈取部３の昇降操作を行う。液晶モニタ３２は、図示しないマイコン（制御手段）によって、その表示内容が制御される他、該マイコンによって、液晶モニタ３２へのタッチ操作の検出を行う。
【００２８】
このマイコンは、本汎用コンバインの刈取部３や脱穀部１２の作動を制御するマイコンと兼用してもよいし、専用のものを設けてもよく、複数のマイコンを設ける場合には、マイコン間の通信には、ＣＡＮ等を用いる。
【００２９】
サイド部２７ｂには、前後揺動可能な主変速レバー（走行変速レバー）３３及び副変速レバー（走行変速レバー）３４が左右に並べて配置されている。主変速レバー３３は、図示しないＨＳＴ（主変速装置）を介して、機体の前後進切換を行うとともに、前進側及び後進側への無段階の走行変速を行う。副変速レバー３４は、図示しない副変速装置を介して、機体の有段の走行変速切換を行う。ちなみに、このＨＳＴ及び副変速装置は、走行系の動力伝動経路中で、直列に接続されている。
【００３０】
図３（Ａ），（Ｂ）はそれぞれ本発明を適用した液晶モニタの表示内容を示す平面図である。図示する液晶パネル３２には、複数の操作ボタン３６ａ，３６ｂ，３６ｃ，３６ｄ，３６ｅが表示されたボタン表示部３６と、画面中央側に位置し且つ車体の走行速度を数字で表示する速度表示部３７と、該速度表示部３７よりもオペレータから離れた奥側に位置し且つエンジンの回転数を表示するエンジン回転数表示部３８と、該速度表示部３７よりもオペレータに近い手前側に位置し且つエンジン負荷を表示するエンジン負荷表示部３９と、走行機体３に搭載された図示しない燃料タンク内の燃料の残量を表示する残量表示部４１と、左右の方向指示を表示する左右一対のウィンカー表示部４２Ｌ，４２Ｒと、上記層厚センサによって検出された選別負荷を表示する選別負荷表示部４３と、チャフシーブ２０の開度を検出する開度表示部４４と、リール８の回転数を検出するリール回転数表示部４６と、刈取部３による刈高さを表示する刈高さ表示部４７と、グレンタンク１３に収容された穀粒の収容量を表示する収容量表示部４８と、各種制御や作動の状態を表示する状態表示部４９とが表示されている。
【００３１】
操作ボタン３６ａは、表示モニタ３２に設定画面を表示させる切替ボタンであり、操作ボタン３６ｂは、表示モニタ３２にカメラからの映像を表示させる切替ボタンであり、操作ボタン３６ｃは、表示モニタ３２に表示させる情報量を少なくしたシンプル画面を表示させる切替ボタンであり、操作ボタン３６ｄは、表示モニタ３２に通常画面を表示させる切替ボタンであり、操作ボタン３６ｅは、複数のカメラを設けた場合において、表示モニタ３２に表示させる映像を撮影するカメラを切替える切替ボタンである。これらの切替ボタン３６ａ，３６ｂ，３６ｃ，３６ｄ，３６ｅは、画面へのタッチによって操作され、上下に並べられた状態で、表示モニタ３２の左右一方側端部（具体的には、左端部分）に表示されている。ちなみに、図３に示された画面は、通常画面である。
【００３２】
エンジン回転数表示部３８には、エンジンの回転数がタコメータで表示される。
【００３３】
エンジン負荷表示部３９には、縦方向に増減する目盛３９ａ１の数によってエンジンのい負荷度合を表示するメータ（インジケータ）３９ａと、該メータ３９ａが示す情報がエンジン負荷であることを示す情報や、目盛３９ａ１の増減範囲を示す枠線等の情報などが表された情報表示部３９ｂとが表示される。ちなみに、このエンジン負荷は、例えば、コントロールレー等の操作具によって設定されたエンジン回転数と比較して、実際に回転センサ（計測手段，計測器）等で検出（計測）されたエンジン回転数が低くなっている程、高いと判断してもよい。
【００３４】
残量表示部４１には、縦方向に増減する目盛４１ａ１の数によって燃料の残量を表示するメータ（インジケータ）４１ａと、該メータ４１ａが示す情報が燃料の残量であることを示す情報や、目盛の増減の意味を示すＥ（空）やＦ（満タン）等の文字情報や、目盛４１ａ１の増減範囲を示す枠線等の情報などが表さされた情報表示部４１ｂとが表示される。ちなみに、この燃料残量は、燃料タンク側に設けられた図示しない残量センサ（計測手段，計測器）によって検出され、この検出値（計測値）が、メータ４１ａに表示される。
【００３５】
選別負荷表示部４３には、横方向に増減する目盛４３ａ１の数によって、上記選別負荷の度合を表示するメータ（インジケータ）４３ａと、該メータ４３ａが示す情報が選別負荷の度合であることを示す情報や、目盛４３ａ１の増減範囲を示す枠線等の情報などが表された情報表示部４３ｂとが表示される。
【００３６】
開度表示部４４には、横方向に増減する目盛４４ａ１の数によってチャフシーブ２０の開度を表示するメータ（インジケータ）４４ａと、該メータ４４ａが示す情報がチャフシーブ２０の開度であることを示す情報や、目盛４４ａ１の増減範囲を示す枠線等の情報などが表された情報表示部４４ｂとが表示される。ちなみに、チャフシーブ２０の開度は、チャフシーブ２０を構成するフィンの揺動位置をポテンショメータ（計測手段，計測器）等で検出（計測）する等によって、取得する。
【００３７】
リール回転数表示部４６には、回転センサ等によって検出されたリール８の回転数が、メータ表示され、刈高さ表示部４７には、ポテンショメータ等によって検出された刈取部３の昇降高さが、メータ表示される。
【００３８】
ちなみに、選別負荷表示部４３、開度表示部４４、リール回転数表示部４６及び刈高さ表示部４７は、エンジン回転数表示部３８を挟んだボタン表示部３６の反対側に、上下に並べて配置されている。
【００３９】
収容量表示部４８には、縦方向に増減する目盛４８ａ１の数によってグレンタンク１３への穀粒の収容量を表示するメータ（インジケータ）４８ａと、該メータ４８ａが示す情報がグレンタンク１３への穀粒の収容量であることを示す情報や、満杯の指標位置の情報や、目盛４８ａ１の増減範囲を示す枠線等の情報などが表示された情報表示部４８ｂとが表示される。ちなみに、グレンタンク１３に収容された穀粒の量は、収容量検出センサ（計測手段，計測器）によって検出（計測）され、この検出値（計測値）が、メータ４８ａに表示される。
【００４０】
ちなみに、残量表示部４１と、収容量表示部４８とは、エンジン負荷表示部３９の左右にそれぞれ各別に配置されている。
【００４１】
ところで、エンジン負荷表示部３９、残量表示部４１、選別負荷表示部４３、開度表示部４４及び収容量表示部４８等に表示される情報は、その表示された値が異常である場合、そのまま放置しておくと、作業や走行に支障をきたす虞があるため、このような場合には、オペレータにその旨を報知（警告）する必要がある。
【００４２】
例えば、エンジン負荷が高くなった場合や、燃料の残量が少なくなった場合や、選別負荷が高くなった場合や、負荷状態に対してチャフシーブの開度が対応していない場合やチャフシーブの開度が操作内容と齟齬しいている場合や、グレンタンク１３内の穀粒が多くなった場合等がそれに該当し、このような場合には、その旨を、オペレータに報知（警告）する必要がある。それぞれの計測器において、警告が必要な計測値の範囲（異常値，異常範囲）は、予め定めておく。
【００４３】
そして、異常値が計測（検出）された場合、マイコンは、エンジン負荷表示部３９、残量表示部４１、選別負荷表示部４３、開度表示部４４又は収容量表示部４８の少なくともメータ３９ａ，４１ａ，４３ａ，４４ａ，４８ａ及び情報表示部３９ｂ，４１ｂ，４３ｂ，４４ｂ，４８ｂを、変色又は点滅させて、液晶モニタ３２に表示させ、これによって、オペレータ等への報知を行う。
【００４４】
ちなみに、図示する例では、残量表示部４１のメータ４１ａ及び情報表示部４１ｂを含む全てを変色または点滅（さらに具体的には、変色）させて、警告を行っている。この他、メータ３９ａ，４１ａ，４３ａ，４４ａ，４８ａ及び情報表示部３９ｂ，４１ｂ，４３ｂ，４４ｂ，４８ｂの部分への光の出力の有無によって表示する構成とし、この光の強弱によって、警告を行ってもよい。
【００４５】
また、これらの点滅、変色又は光の強弱を用いた警告は、組合せてもよく、点滅や強弱の周期を変更してもよい。
【００４６】
また、上記警告と併せて、図４に示すように、メータ３９ａ，４１ａ，４３ａ，４４ａ，４８ａ及び情報表示部３９ｂ，４１ｂ，４３ｂ，４４ｂ，４８ｂを、拡大させてもよい。同図に示す例では、残量表示部４１のメータ４１ａ及び情報表示部４１ｂを、変色と共に、拡大させる一方で、その表示スペースを確保するため、その近くに配置された表示部（具体的には、エンジン負荷表示部３９）を縮小させている。この他、この拡大表示と、拡大されたものを元の大きさに縮小する縮小表示とを相互に繰返してもよい。
【００４７】
さらに、前記マイコンは、これらの警告と併せて、図５（Ａ）に示すように、拡大された警告画面５１を液晶モニタ３２に表示（注意喚起を液晶モニタ３２に出力）してもよい。この警告画面５１は、液晶モニタ３２のその他の表示情報を隠す程のサイズで、画面の真中に表示される。
【００４８】
この警告画面５１をタッチすると、サイズが縮小された縮小警告画面５１´となり、この縮小警告画面５１´が、上記その他の表示情報を隠さない位置（具体的には端側）に表示される（同図（Ｂ）参照）。
【００４９】
さらに、この縮小警告画面５１´をタッチすると、同図（Ａ）に示す元の警告画面５１に戻って、画面の真中に表示され、以下、これらのタッチ操作毎に、この表示切替が実行される。
【００５０】
なお、エンジン負荷表示部３９、残量表示部４１、選別負荷表示部４３、開度表示部４４又は収容量表示部４８に表示される計測値の内、２種類以上から異常値が計測された場合、その警告を同時に行ってもよいし、或いは、タイミングをずらして順番に行っても良い。
【００５１】
また、複数の表示部３９，４１，４３，４４，４８を対象として警告を行う場合、その重要度や緊急度によって、優先順位をつけてもよい。そして、上記優先度によって、例えば、表示させる時間に差を設けたり、上記光の強弱を変えたり、点滅の周期の変更したりして、優先度の高いものを目立つようにする。
【００５２】
以上のように構成される本発明によれば、オペレータに対して、確実な注意を行うことが容易になる。
【符号の説明】
【００５３】
３２  液晶モニタ（表示画面）
３９ａ  メータ（インジケータ）
３９ｂ  情報表示部
４１ａ  メータ（インジケータ）
４１ｂ  情報表示部
４３ａ  メータ（インジケータ）
４３ｂ  情報表示部
４４ａ  メータ（インジケータ）
４４ｂ  情報表示部
４８ａ  メータ（インジケータ）
４８ｂ  情報表示部
５１  警告画面（注意喚起）
５１´  縮小警告画面（注意喚起）
【図１】
2017100465.tif 000003
【図２】
2017100465.tif 000004
【図３】
2017100465.tif 000005
【図４】
2017100465.tif 000006
【図５】
2017100465.tif 000007
【図６】
2017100465.tif 000008